(57)【要約】【課題】本考案は、杉材の効能を十分に発揮し、廃棄の問題がなく、取扱いが容易で、また、光の透過を低減した構造体製作用板材及び木製構造体を提供することを目的とする。【解決手段】本考案に係る構造体製作用板材１０は、矩形の杉板の表裏一方又は双方に、木目に交差する方向の複数の細幅溝１１ａ，１２ａが形成されてなり、木製構造体Ａは、当該構造体製作用板材１０を、断面多角形の一部の辺を除いた中空の部分角筒状に連結してなるものである。【選択図】        図１
0003200669.tif 000002
【実用新案登録請求の範囲】
【請求項１】
矩形の杉板の表裏一方又は双方に、木目に交差する方向の複数の細幅溝が形成されてなる
ことを特徴とする構造体製作用板材。
【請求項２】
前記細幅溝が形成された杉板が、木目に交差する方向の複数の細幅溝が形成された細幅材を複数連結して構成されてなる
ことを特徴とする請求項１に記載の構造体製作用板材。
【請求項３】
前記細幅溝が形成された杉板を、中空層を有する２層構造に重ね合わせてなる
ことを特徴とする請求項１又は２のいずれか１項に記載の構造体製作用板材。
【請求項４】
請求項１〜３のいずれか１項に記載の構造体製作用板材を並列に連結してなる
ことを特徴とする木製構造体。
【請求項５】
請求項１〜３のいずれか１項に記載の構造体製作用板材を、断面多角形の一部の辺を除いた中空の部分角筒状に連結してなる
ことを特徴とする木製構造体。
【請求項６】
前記木製構造体の内側に、木製構造体の周方向内側断面の少なくとも一部の形状に沿う形状の輪郭を有する水平板を設けてなる
ことを特徴とする請求項５に記載の木製構造体。
【考案の詳細な説明】
【技術分野】
【０００１】
本考案は、杉板材よりなる構造体製作用板材、及び、当該板材により製作した木製構造体に関し、特に、木目に交差する方向に細幅溝を形成した構造体製作用板材であって、木製構造体としてのパーティション等の衝立、家具及びベッドの天蓋等の屋内装置品の製作、及び、木製構造体としての家屋の床板、壁板又は天井板等の板材に適した構造体製作用板材及び当該板材により製作した前記木製構造体に関する。
【背景技術】
【０００２】
従来より、例えば机上での作業に集中できるようにするために机の周りにパーティションなどの衝立を置いて作業空間と他の空間とを区画することがなされている。また、安眠を促進させるためにベッドの上方にレース地や蚊帳地などで形成された天蓋で囲うことがなされている。
【０００３】
さらに、近年、杉材が有する効能が見直されており、杉材を使用した製品が開発されてきている。
【考案の概要】
【考案が解決しようとする課題】
【０００４】
しかしながら、従来使用されているパーティションは、合成樹脂製や金属製のものが多い。合成樹脂や金属はアレルギーの原因にもなり、また、合成樹脂は廃棄による環境汚染問題があり、金属製は重くて取扱い難い欠点がある。また、ベッドの上方をレース地や蚊帳地などで形成された天蓋で囲っても光が透過するので、安眠を促進させるには充分ではなかった。さらに、表面が平坦な杉板では杉材が有する効能が十分に発揮されないものであった。
【０００５】
そこで、本考案者は、鋭意研究を重ねた結果、杉材の効能を十分に発揮し、廃棄の問題がなく、取扱いが容易で、また、光の透過を低減した構造体製作用板材及び木製構造体を開発した。
【課題を解決するための手段】
【０００６】
本考案の請求項１に係る構造体製作用板材は、矩形の杉板の表裏一方又は双方に、木目に交差する方向の複数の細幅溝が形成されてなることを特徴とする。
【０００７】
上記のように構成した構造体製作用板材は、その材質が杉材よりなるため、見た目にやさしく、暖かみを感じさせ、また、光を透過しない。
【０００８】
さらに、杉板の表面に細幅の溝を複数形成しているため、杉材表面の露出表面積が大きくなるので、杉材が有する効果が十分に発揮できる。
【０００９】
杉材が有する効果としては、次のことが知られている。すなわち、杉板が発するフィトンチッドにより、大気中の有害物質、アトピーやシックハウス症候群の原因の１つであるホルムアルデヒドを吸着する空気の浄化作用が発揮され、カビ、ダニ、ウィルス等の有害生物の増殖を抑制する効果が発揮され、また、人の身体に備わっている免疫体に働きかけて免疫力を高める作用が発揮され、睡眠を促し、かつ、血圧を低下させる作用、身体能力の維持改善作用、脳内活性化作用、いびきやぜんそくを抑制する作用、疲労の軽減回復作用等の効果を有している。また、樹木であるために、水分保持機能を有していて室内の湿度調整作用の効果を有している。
【００１０】
しかも、上記の構成のように、細幅の溝を木目に交差する方向に形成しているため、杉材のような樹木においては、仮導管及び篩管を切断することになるため、大量のフィトンチッドが発生するので、さらに、杉材が有する効果が十分に発揮できる。
【００１１】
さらに上記構成の構造体製作用板材は、表裏両面に細幅溝を形成した場合には、人に対する方の面は杉材の作用効果が人に対して直接発揮され、他の面は室内空間側に面する場合は杉材の作用効果が室内空間全体に対して発揮される。
【００１２】
本考案の請求項２に係る構造体製作用板材は、請求項１に記載の構造体製作用板材において、前記細幅溝が形成された杉板が、木目に交差する方向の複数の細幅溝が形成された細幅材を複数連結して構成されてなることを特徴とする。
【００１３】
上記のように構成した構造体製作用板材は、細幅の柾目板を利用して広幅の構造体製作用板材を製作することができ、かつ、細幅材をもって種々の形態及びサイズの構造体製作用板材の製造を容易にし、かつ、容易に解体できる利点がある。
【００１４】
本考案の請求項３に係る構造体製作用板材は、請求項１又は２に記載の構造体製作用板材において、前記細幅溝が形成された杉板を、中空層を有する２層構造に重ね合わせてなることを特徴とする。
【００１５】
上記のように構成した構造体製作用板材は、木材の熱伝導率が金属に比較してかなり小さく、また、中空層が断熱効果を有する。
【００１６】
本考案の請求項４に係る木製構造体は、請求項１〜３のいずれか１項に記載の構造体製作用板材を並列に連結してなることを特徴とする。
【００１７】
このように構成した場合には、部屋を仕切るパーティションや、床板、壁板及び天井板などの面積が広い木製構造体を製作することができる。
【００１８】
本考案の請求項５に係る木製構造体は、請求項１〜３のいずれか１項に記載の構造体製作用板材を、断面多角形の一部の辺を除いた中空の部分角筒状に連結してなることを特徴とする。
【００１９】
この部分角筒状の木製構造体としては、例えば、断面六角形で、その一つの辺を除いた形態をなすものである。その他、断面四角形で、その一つの辺を除いた断面コの字型の形態、あるいは断面三角形、五角形、八角形等の多角形の一部の辺を除いた形態が含まれる。また、当該木製構造体は、その大きさについては用途に応じて適宜の大きさに作成することができる。また、前記の部分角筒状の木製構造体において、木製構造体の周方向の遊離端部の一方又は双方に構造体製作用板材を取り付けてもよい。さらに、前記の部分角筒状の木製構造体又は当該木製構造体に構造体製作用板材を取り付けた部分角筒状の木製構造体において、これら木製構造体の周方向の遊離端部の一方又は双方に他の構造体製作用板材をヒンジ結合により開閉自在に取り付けて開閉扉としてもよい。
【００２０】
上記のように構成した部分角筒状の木製構造体は、これに取り囲まれても、目に見える壁面が木目であることから安らぎ感があるため閉塞感を感じさせず、また、光を透過しない。しかも、杉材の表面に細幅の溝を形成しているため、杉材表面の露出表面積が大きくなり、杉材が有する効果が十分に発揮できる。また、部分角筒状の木製構造体を２層構造の構造体製作用板材で構成した場合には、部分角筒状の木製構造体の外側の室温が高くなっても、当該木製構造体の内側の温度がすぐに高くなるようなことはなく、逆に部分角筒状の木製構造体の外側の室温が低くなっても、当該木製構造体の内側の温度がすぐに低くなるようなことはない。したがって、上記の杉材が有する作用効果に加えて、より一層自然な空調作用が発揮される。
【００２１】
本考案の請求項６に係る木製構造体は、請求項５に記載の木製構造体において、前記木製構造体の内側に、木製構造体の周方向内側断面の少なくとも一部の形状に沿う形状の輪郭を有する水平板を設けてなることを特徴とする。
【００２２】
このように水平板を部分角筒状の木製構造体に設けることにより、当該水平板が机の役目を果たし、かつ、机の脚を製作する必要が無い利点がある。
【考案の効果】
【００２３】
以上のように構成した構造体製作用板材及び当該板材により製作した木製構造体は、組立及び解体が容易で、杉材の効能を十分に発揮し、廃棄の問題がなく、取扱いに便利で、また、光の透過を低減した効果を有するものである。
【図面の簡単な説明】
【００２４】
【図１】本考案の実施例１に係る木製構造体の部分拡大図付き斜視図である。
【図２】本考案の実施例１に係る木製構造体の縦方向の断面図である。
【図３】本考案の実施例１に係る木製構造体を構成する構造体製作用板材の組立方法を示す一部分解斜視図である。
【図４】本考案の実施例１に係る木製構造体の使用状態を示す斜視図である。
【図５】本考案の実施例２に係る木製構造体の水平方向の概略断面図である。
【図６】本考案の実施例２に係る木製構造体を構成する構造体製作用板材の正面図である。
【図７】本考案の実施例２に係る木製構造体の縦方向の中央縦概略端面図である。
【考案を実施するための形態】
【００２５】
以下、本考案に係る木製構造体の好適な実施例を図面に基づいて説明する。
【実施例１】
【００２６】
図１〜図４は実施例１を示し、図１及び図２に示すＡは、立設タイプの木製構造体を示す。当該木製構造体Ａは、その全体が長さ約１．３ｍで幅約０．６５ｍの構造体製作用板材１０を連結することにより形成され、その水平方向の断面が六角形の一つの辺がない中空の部分角筒状の形態をなしている。当該木製構造体Ａの内側には、木製構造体Ａの周方向内側断面の３辺の形状に沿うほぼ台形状の輪郭を有する水平板Ｂが取り付けられており、当該水平板Ｂは机の天板の役目を果たす。なお、水平板Ｂの取付高さは利用者の使用に適した高さが良く、６０〜７０ｃｍである。
【００２７】
前記構造体製作用板材１０は、その周囲に左右の垂直材１４ａ及び上下の笠木１４ｂからなる嵌め込み溝付きの骨組み材に囲まれた矩形の杉板の表裏に、木目に交差する方向の複数の細幅溝が形成されたものである。当該構造体製作用板材１０は、上下方向に木目が配された外面平板材層１１と上下方向に木目が配された内面平板材層１２とを中空層１３を介して構成された２層構造をなしている。前記外面平板材層１１は、その外側表面に木目に交差する方向すなわち水平方向の細幅溝１１ａが形成されている。また、前記内面平板材層１２は、その内側表面に木目に交差する方向すなわち図において水平方向の細幅溝１２ａが形成されている。なお、構造体製作用板材１０の大きさは、上記のものに限られるものではなく、用途に応じて適宜の大きさのものが採用でき、長さは０．５〜２．０ｍの範囲で、幅は０．５〜１．２ｍの範囲が汎用性があって好ましい。
【００２８】
なお、構造体製作用板材１０は、上記の外面平板材層又は内面平板層のいずれか一方の平板材層１層の構造としてもよい。その場合には平板材層１層の外面側及び内面側のいずれか一方又は双方に木目に交差する方向の細幅溝を形成する。
【００２９】
上記の構造体製作用板材１０は、図３に示すように、外面平板材層１１と内面平板材層１２とのいずれも、直線状の骨組み材中の上下の笠木１４ａに複数の細幅材１５が縦に並ぶように１枚ずつ嵌め込んで接合し、接着又は釘止めにより固定して形成される。当該細幅材１５は、木製構造体Ａの高さである約１．３ｍから上下の笠木１４ａの厚みを差し引いた長さで、約１５ｃｍの幅、厚み約１３ｍｍの細幅の杉板材であって、骨組み材１４に嵌め込むことにより、その幅方向に直線状に接合されていくことになり、１枚の構造体製作用板材１０が形成される。なお、細幅材１５の大きさは上記のものに限るものではなく、構造体製作用板材１０の大きさや、用途及び組立に都合がよいように適宜変更すればよい。また、細幅材の長さが長い場合には、反りなどの防止のために骨組み材の一部となる桟を中間位置に追加して強度を向上させることが望ましい。
【００３０】
そして、細幅材１５は、その表面に幅方向、すなわち木口沿った方向（木材の木目と直角な断面）に細幅溝１１ａ、１２ａが形成されており、複数の細幅材１５を接合させていくと細幅溝１１ａ、１２ａがそれぞれ連続することになり、水平方向の細幅溝１１ａ、１２ａが形成されることになる。このように構成した構造体製作用板材１０は、組立及び解体が容易であり、かつ、種々のサイズのものを作成することができる利点がある。
【００３１】
図４は、上記した木製構造体Ａの使用状態を示す。すなわち、木製構造体Ａの内部の水平板Ｂのところに椅子Ｃを設置して学習している状態を示している。このように構成することにより、木製構造体Ａに取り囲まれていても、目に見える箇所が木目で安らぎ感があるため閉塞感を感じさせず、また、光を透過しないので、リラックスした状態で学習することができる。しかも、杉材の表面の内面平板材層１２に細幅溝１２ａを形成しているため、杉材表面の露出表面積が大きくなり、木製構造体Ａの内部において人に面する方の内面側は人に対して杉材の作用効果が十分に発揮できる。また、杉材の表面の外面平板材層１１に細幅溝１１ａを形成しているため、木製構造体Ａの外部に対しても杉材が有する効果が十分に発揮できるので、室内環境全体が良好なものとなる。しかも、木製構造体Ａは、杉材の熱伝導率が金属に比較してかなり小さく、また、中空層１３が断熱効果を有するため、木製構造体Ａの外側の室温が高くなっても、木製構造体Ａの内側の温度がすぐに高くなるようなことはなく、逆に木製構造体Ａの外側の室温が低くなっても、木製構造体Ａの内側の温度がすぐに低くなるようなことはない。したがって、上記の杉材が有する作用効果に加えて、より一層自然な空調作用が発揮され、空調機の使用が削減できるので省エネ効果がある。
【実施例２】
【００３２】
図５〜図７は実施例２を示し、図中Ａ’は本実施例に係る木製構造体を示し、当該木製構造体Ａ'は、実施例１の木製構造体Ａの変更例である。当該木製構造体Ａ’は、その全体が長さ約１．２ｍで幅約０．６ｍの構造体製作用板材１０’を連結することにより形成され、図５に示すように、その水平方向の断面が六角形の一つの辺がない中空の部分角筒状の形態をなしている。当該木製構造体Ａ’の内側には、木製構造体Ａ’の周方向内側断面の３辺の形状に沿う台形状の輪郭を有する水平板Ｂ’が取り付けられており、当該水平板Ｂ’は机の天板の役目を果たす。なお、構造体製作用板材１０’の大きさは、上記のものに限られるものではなく、用途に応じて適宜の大きさのものが採用でき、長さは０．５〜２．０ｍで幅は０．５〜１．２ｍが汎用性があって好ましい。また、水平板Ｂ’の取付高さは利用者の使用に適した高さが良く、６０〜７０ｃｍである。
【００３３】
前記構造体製作用板材１０’は、平板材１１’と骨組み材とから構成される。平板材１１’は、嵌め込み溝付きの骨組み材に嵌め込まれるもので、矩形の杉板の表裏に木目に交差する方向の複数の細幅溝が形成されている。骨組み材は、構造体製作用板材１０の周囲を形成するもので、左右の垂直材１４ａ’と、上下の笠木１４ｂ’と、水平板Ｂ'を支持できる幅を有する水平板支持横桟１４ｃと水平板Ｂ'を支持する必要のない個所の横桟１４ｄとからなる。なお、水平板支持横桟１４ｃ及び横桟１４ｄの個所では水平板Ｂ'を支持できる幅を有する水平板支持横桟１４ｃを平板材１１’嵌め込む必要があるため、平板材１１’は連続させていない。
【００３４】
上記の構造体製作用板材１０’は、平板材１１’を骨組み材中の左右の垂直材１４ａ’に複数の細幅材１５’が横に並ぶように１枚ずつ嵌め込んで接合し、接着又は釘止めにより固定して形成される。当該細幅材１５’のおおよその大きさは、木製構造体Ａ’の幅である約０．６ｍから骨組み材の左右の垂直材１４ａ’の幅を差し引いた長さで、幅約１５ｃｍ、厚み約１３ｍｍの細幅の杉材であって、垂直材１４ａ’間に嵌め込むことにより、細幅材１５’の幅方向、図においては上下方向に直線状に接合されていくことになり、１枚の構造体製作用板材１０’が形成される。なお、細幅材１５’の大きさは上記のものに限るものではなく、構造体製作用板材１０’の大きさや、用途及び組立に都合がよいように適宜変更すればよい。また、細幅材の長さが長い場合には、反り防止のために骨組み材の一部となる桟を追加して強度を向上させることが望ましい。そして、細幅材１５’は、その表裏に木目と交差する方向である幅方向、すなわち木口沿った方向（木材の木目と直角な断面）に細幅溝が形成されており、複数の細幅材１５’を接合させていくと細幅溝が連続することになり、垂直方向に細幅溝が形成されることになる。このように構成した構造体製作用板材１０’は、組立及び解体が容易であり、かつ、種々のサイズのものを作成することができる利点がある。
【００３５】
本実施例においては、上記のように構成した構造体製作用板材１０’を、図５に示すように、その隣接するもの同士の垂直材１４ａ’を蝶番で接合して構成する。なお、折り畳んでコンパクトにするために、蝶番としては一方側にのみ開閉する片側開閉蝶番２０と、内側及び外側の両側に開閉する自在蝶番２１を使用する。
【００３６】
以上のように、本考案の構造体製作用板材を、木製構造体としての衝立として使用する場合の実施例について説明したが、同様に構造体製作用板材を組み合わせて家具及びベッドの天蓋等の屋内装置品を製作する際の板材として使用できる。また、本考案の構造体製作用板材は、これを組み合わせて木製構造体としての家屋の床板、壁板又は天井板等の板材として使用できる。
【００３７】
以上のとおり、本考案の実施例を説明したが、これらの実施例は、例として提示したものであり、考案の範囲を限定することは意図していない。この実施例は、その他の様々な形態で実施されることが可能であり、考案の要旨を逸脱しない範囲で、種々の省略、置き換え、変更を行うことができる。この実施例やその変形は、考案の範囲や要旨に含まれると同様に、実用新案登録請求の範囲に記載された考案とその均等の範囲に含まれるものである。
【符号の説明】
【００３８】
Ａ・・・・木製構造体(衝立)
Ｂ・・・・水平板
Ｃ・・・・椅子
１０・・・構造体製作用板材
１１・・・外面平板材層
１１ａ・・細幅溝
１２・・・内面平板材層
１２ａ・・細幅溝
１３・・・中空層
１４ａ・・垂直材
１４ｂ・・笠木
１５・・・細幅材
Ａ’・・・木製構造体
Ｂ’・・・水平板
１０’・・構造体製作用板材
１１’・・平板材
１４ａ’・垂直材
１４ｂ’・笠木
１４ｃ・・水平板支持横桟
１４ｄ・・横桟
１５’・・細幅材
２０・・・片側開閉蝶番
２１・・・自在蝶番
【図１】
0003200669.tif 000003
【図２】
0003200669.tif 000004
【図３】
0003200669.tif 000005
【図４】
0003200669.tif 000006
【図５】
0003200669.tif 000007
【図６】
0003200669.tif 000008
【図７】
0003200669.tif 000009